【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
コンテンツの画面への表示を制御する情報処理装置において、
表示されている前記コンテンツに関係するキーワードを抽出する第１の抽出手段と、
抽出された前記キーワードの一覧である第１のリストを生成する第１の生成手段と、
生成された前記第１のリストの画面への表示を制御する表示制御手段と、
表示されている前記第１のリストのなかから前記キーワードが選択された場合、表示されている前記コンテンツを除いた他のコンテンツであって、選択された前記キーワードを含んでいる前記他のコンテンツを抽出する第２の抽出手段と、
前記他のコンテンツを並び替えるための所定の条件にしたがって、抽出された前記他のコンテンツを並び替えて、前記他のコンテンツの一覧である第２のリストを生成する第２の生成手段と
を備え、
前記表示制御手段は、生成された前記第２のリストの画面への表示を制御する
情報処理装置。
【請求項２】
前記表示制御手段は、前記第２のリストから前記他のコンテンツが選択された場合、選択された前記他のコンテンツの画面への表示を制御する
請求項１に記載の情報処理装置。
【請求項３】
前記所定の条件は、ユーザの嗜好に関する嗜好情報、または前記ユーザによる前記コンテンツの視聴の履歴に関する視聴履歴から決められ、
前記第２の生成手段は、前記嗜好情報で示される情報をより多く含んでいる順に前記他のコンテンツを並び替えるか、または前記視聴履歴で示される頻度のより高い順に前記他のコンテンツを並び替えて、前記第２のリストを生成する
請求項１に記載の情報処理装置。
【請求項４】
抽出された前記キーワードを記憶する記憶手段をさらに備え、
前記第１の生成手段は、記憶されている前記キーワードから前記第１のリストを生成する
請求項１に記載の情報処理装置。
【請求項５】
抽出された前記他のコンテンツを記憶する記憶手段をさらに備え、
前記第２の生成手段は、記憶されている前記他のコンテンツから前記第２のリストを生成する
請求項１に記載の情報処理装置。
【請求項６】
前記キーワードは、放送局があらかじめ付与したメタデータ、ユーザ自身が付与したメタデータ、インターネットを介して取得した前記コンテンツに関する情報、前記コンテンツに対する所定の画像解析処理により生成したメタデータ、前記コンテンツに対する所定のテキスト抽出処理により取得した文字情報、前記コンテンツに対する所定の音声解析処理により生成したメタデータ、またはサムネイルに対する所定の画像解析処理により生成したメタデータから抽出される
請求項１に記載の情報処理装置。
【請求項７】
前記嗜好情報は、ユーザによって登録された情報、前記第１のリストのなかから選択された前記キーワードの履歴に関する情報、または前記第２のリストのなかから選択された前記他のコンテンツのキーワードの履歴に関する情報である
請求項３に記載の情報処理装置。
【請求項８】
前記視聴履歴は、前記コンテンツの、タイトル、キーワード、ジャンル、放送時間帯、または放送局に関する情報を少なくとも含んでいる情報である
請求項３に記載の情報処理装置。
【請求項９】
コンテンツの画面への表示を制御する情報処理装置の情報処理方法において、
表示されている前記コンテンツに関係するキーワードを抽出し、
抽出された前記キーワードの一覧である第１のリストを生成し、
生成された前記第１のリストの画面への表示を制御し、
表示されている前記第１のリストのなかから前記キーワードが選択された場合、表示されている前記コンテンツを除いた他のコンテンツであって、選択された前記キーワードを含んでいる前記他のコンテンツを抽出し、
前記他のコンテンツを並び替えるための所定の条件にしたがって、抽出された前記他のコンテンツを並び替えて、前記他のコンテンツの一覧である第２のリストを生成し、
生成された前記第２のリストの画面への表示を制御する
ステップを含む情報処理方法。
【請求項１０】
コンテンツの画面への表示を制御する情報処理を、コンピュータに行わせるプログラムにおいて、
表示されている前記コンテンツに関係するキーワードを抽出し、
抽出された前記キーワードの一覧である第１のリストを生成し、
生成された前記第１のリストの画面への表示を制御し、
表示されている前記第１のリストのなかから前記キーワードが選択された場合、表示されている前記コンテンツを除いた他のコンテンツであって、選択された前記キーワードを含んでいる前記他のコンテンツを抽出し、
前記他のコンテンツを並び替えるための所定の条件にしたがって、抽出された前記他のコンテンツを並び替えて、前記他のコンテンツの一覧である第２のリストを生成し、
生成された前記第２のリストの画面への表示を制御する
ステップを含むプログラム。
【手続補正２】
【補正対象書類名】明細書
【補正対象項目名】００１２
【補正方法】変更
【補正の内容】
【００１２】
本発明の一側面の情報処理装置は、コンテンツの画面への表示を制御する情報処理装置において、表示されている前記コンテンツに関係するキーワードを抽出する第１の抽出手段と、抽出された前記キーワードの一覧である第１のリストを生成する第１の生成手段と、生成された前記第１のリストの画面への表示を制御する表示制御手段と、表示されている前記第１のリストのなかから前記キーワードが選択された場合、表示されている前記コンテンツを除いた他のコンテンツであって、選択された前記キーワードを含んでいる前記他のコンテンツを抽出する第２の抽出手段と、前記他のコンテンツを並び替えるための所定の条件にしたがって、抽出された前記他のコンテンツを並び替えて、前記他のコンテンツの一覧である第２のリストを生成する第２の生成手段とを備え、前記表示制御手段は、生成された前記第２のリストの画面への表示を制御する。
【手続補正３】
【補正対象書類名】明細書
【補正対象項目名】００２０
【補正方法】変更
【補正の内容】
【００２０】
本発明の一側面の情報処理方法は、コンテンツの画面への表示を制御する情報処理装置の情報処理方法において、表示されている前記コンテンツに関係するキーワードを抽出し、抽出された前記キーワードの一覧である第１のリストを生成し、生成された前記第１のリストの画面への表示を制御し、表示されている前記第１のリストのなかから前記キーワードが選択された場合、表示されている前記コンテンツを除いた他のコンテンツであって、選択された前記キーワードを含んでいる前記他のコンテンツを抽出し、前記他のコンテンツを並び替えるための所定の条件にしたがって、抽出された前記他のコンテンツを並び替えて、前記他のコンテンツの一覧である第２のリストを生成し、生成された前記第２のリストの画面への表示を制御するステップを含む。
【手続補正４】
【補正対象書類名】明細書
【補正対象項目名】００２１
【補正方法】変更
【補正の内容】
【００２１】
本発明の一側面のプログラムは、コンテンツの画面への表示を制御する情報処理を、コンピュータに行わせるプログラムにおいて、表示されている前記コンテンツに関係するキーワードを抽出し、抽出された前記キーワードの一覧である第１のリストを生成し、生成された前記第１のリストの画面への表示を制御し、表示されている前記第１のリストのなかから前記キーワードが選択された場合、表示されている前記コンテンツを除いた他のコンテンツであって、選択された前記キーワードを含んでいる前記他のコンテンツを抽出し、前記他のコンテンツを並び替えるための所定の条件にしたがって、抽出された前記他のコンテンツを並び替えて、前記他のコンテンツの一覧である第２のリストを生成し、生成された前記第２のリストの画面への表示を制御するステップを含む。
【手続補正５】
【補正対象書類名】明細書
【補正対象項目名】００２２
【補正方法】変更
【補正の内容】
【００２２】
本発明の一側面においては、表示されている前記コンテンツに関係するキーワードが抽出され、抽出された前記キーワードの一覧である第１のリストが生成され、生成された前記第１のリストの画面への表示が制御され、表示されている前記第１のリストのなかから前記キーワードが選択された場合、表示されている前記コンテンツを除いた他のコンテンツであって、選択された前記キーワードを含んでいる前記他のコンテンツが抽出され、前記他のコンテンツを並び替えるための所定の条件にしたがって、抽出された前記他のコンテンツを並び替えて、前記他のコンテンツの一覧である第２のリストが生成され、生成された前記第２のリストの画面への表示が制御される。
【手続補正６】
【補正対象書類名】明細書
【補正対象項目名】００２６
【補正方法】変更
【補正の内容】
【００２６】
本発明の一側面の情報処理装置は、コンテンツの画面への表示を制御する情報処理装置（例えば、図２のテレビジョン受像機１）において、表示されている前記コンテンツに関係するキーワード（例えば、関連キーワード）を抽出する第１の抽出手段（例えば、図２の関連キーワード抽出部５１）と、抽出された前記キーワードの一覧である第１のリスト（例えば、関連キーワードリスト）を生成する第１の生成手段（例えば、図２の関連キーワードリスト生成部５２）と、生成された前記第１のリストの画面への表示を制御する表示制御手段（例えば、図２の表示制御部５４）と、表示されている前記第１のリストのなかから前記キーワードが選択された場合、表示されている前記コンテンツを除いた他のコンテンツであって、選択された前記キーワードを含んでいる前記他のコンテンツ（例えば、関連コンテンツ）を抽出する第２の抽出手段（例えば、図２の関連コンテンツ抽出部５５）と、前記他のコンテンツを並び替えるための所定の条件（例えば、嗜好情報や視聴履歴など）にしたがって、抽出された前記他のコンテンツを並び替えて、前記他のコンテンツの一覧である第２のリスト（例えば、関連コンテンツリスト）を生成する第２の生成手段（例えば、関連コンテンツリスト生成部５６）とを備え、前記表示制御手段は、生成された前記第２のリストの画面への表示を制御する（例えば、図３のステップＳ２１の処理）。
【手続補正７】
【補正対象書類名】明細書
【補正対象項目名】００３４
【補正方法】変更
【補正の内容】
【００３４】
本発明の一側面の情報処理方法またはプログラムは、コンテンツの画面への表示を制御する情報処理装置の情報処理方法において、またはコンテンツの画面への表示を制御する情報処理を、コンピュータに行わせるプログラムにおいて、表示されている前記コンテンツに関係するキーワードを抽出し（例えば、図３のステップＳ１４の処理）、抽出された前記キーワードの一覧である第１のリストを生成し（例えば、図３のステップＳ１５の処理）、生成された前記第１のリストの画面への表示を制御し（例えば、図３のステップＳ１６の処理）、表示されている前記第１のリストのなかから前記キーワードが選択された場合、表示されている前記コンテンツを除いた他のコンテンツであって、選択された前記キーワードを含んでいる前記他のコンテンツを抽出し（例えば、図３のステップＳ１９の処理）、前記他のコンテンツを並び替えるための所定の条件にしたがって、抽出された前記他のコンテンツを並び替えて、前記他のコンテンツの一覧である第２のリストを生成し（例えば、図３のステップＳ２０の処理）、生成された前記第２のリストの画面への表示を制御する（例えば、図３のステップＳ２１の処理）ステップを含む。